(57)【要約】【課題】抵抗を与えることでフィルムに予め決められた張力を生じることができる制動手段を有するフィルムディスペンサーを提供する。【解決手段】制動手段を有するフィルムディスペンサーは、基部１０と、基部１０に対し回転可能に連結され、摩擦部３８を有する回転リング２８と、基部１０に取り付けられ、押圧部５２と摩擦片５４とを有し、摩擦片５４が回転リング２８の摩擦部３８を押圧することで、回転リング２８に回転時に抵抗を与えるストッパー４８と、を備える。【選択図】図１
0003137427.tif 000002
【実用新案登録請求の範囲】
【請求項１】
基部と、
基部に対し回転可能に連結され、摩擦部を有するリールと、
基部に取り付けられ、押圧部と摩擦ブロックとを有し、摩擦ブロックがリールの摩擦部を押圧することで、リールに回転時に抵抗を与える制動手段と、
を備えることを特徴とするフィルムディスペンサー。
【請求項２】
前記基部は弾性片を備える外側環状壁を有し、前記制動手段は前記弾性片に設置されていることを特徴とする請求項１に記載のフィルムディスペンサー。
【請求項３】
前記弾性片はその外端に当接部を有し、最初は外側に延伸し、その後内側へ向かって湾曲し、前記当接部を前記外側環状壁の内側へと入り込ませることを特徴とする請求項２に記載のフィルムディスペンサー。
【請求項４】
前記制動手段は貫通孔を備え、前記弾性片は前記貫通孔を貫通し、前記当接部を外部へ露出させることを特徴とする請求項３に記載のフィルムディスペンサー。
【請求項５】
前記基部は開口を備える内側環状壁を設け、リールは摩擦部を有し、前記制動手段の内端は前記内側環状壁の開口を貫通し、前記リールの摩擦部に対応することを特徴とする請求項２に記載のフィルムディスペンサー。
【請求項６】
台座の底面にくぼみと把持部とを有し、前記把持部の内端に前記くぼみへと延伸する板片を備え、前記板片の内端は係合部として成ることを特徴とする請求項１に記載のフィルムディスペンサー。
【請求項７】
前記リールは前記制動手段の上方に位置する塀部を有することを特徴とする請求項１に記載のフィルムディスペンサー。
【請求項８】
前記基部は係合片を有し、前記リールはリング係合部を備え、前記係合片と係合し、且つ前記リング係合部に前記摩擦部を有することを特徴とする請求項１に記載のフィルムディスペンサー。
【考案の詳細な説明】
【技術分野】
【０００１】
本考案は、包装器具に関し、特に制動手段を有するフィルムディスペンサーに関する。
【背景技術】
【０００２】
工業包装の作業において、管状フィルムを利用し製品の包装を行うのは、非常に一般的である。特許文献１は、本考案の考案者の手による従来の発明であるが、これは管状フィルムの器具を操作するためのもので、操作者の手が損傷を受けないように保護するための器具であり、さらに包装作業をよりスムーズに、且つ簡単に行えるようにしたものである。
【０００３】
管状フィルムによる包装作業においては、フィルムに一定の張力を生じさせる必要があり、この張力によってフィルムは製品を緊密に包装できる。考案者は特許文献２の発明において、ローラを抵抗としフィルムに一定の張力を生じるフィルムディスペンサーを公開したが、前述のフィルムディスペンサーが提供するフィルムの張力には限界があり、ある種の状況下では使用者の要求にかなうことができなかった。
【特許文献１】米国特許第６２２７４８０号明細書
【特許文献２】米国特許第６６５１９１８号明細書
【考案の開示】
【考案が解決しようとする課題】
【０００４】
本考案の主な目的は、抵抗を与えることでフィルムに予め決められた張力を生じさせることができる制動手段を有するフィルムディスペンサーを提供することである。
本考案の第二の目的は基部と、リールと、制動手段とを有するフィルムディスペンサーを提供することである。前記リールは前記基部で自由に回転を行えるように結合する。前記制動手段は前記基部に設置されており、操作して前記リールの摩擦部に圧接させることで、前記リールは制動作用を生じる。これより、本考案のフィルムディスペンサーを使用して包装作業を行う場合、フィルムに必要となる所定の張力を与えることができる。
【課題を解決するための手段】
【０００５】
上記目的を達成するため、本考案に係るフィルムディスペンサーは、基部と、基部に対し回転可能に連結され、摩擦部を有するリールと、基部に取り付けられ、押圧部と摩擦ブロックとを有し、摩擦ブロックがリールの摩擦部を押圧することで、リールに回転時に抵抗を与える制動手段と、を備える。
【考案を実施するための最良の形態】
【０００６】
以下、本考案の実施の形態を図面に基づいて説明する。
図１〜図２が示すように、本考案の一実施形態が提供するフィルムディスペンサーは主に基部１０、リールとしての回転リング２８、および制動手段としてのストッパー４８より構成される。
【０００７】
基部１０は台座１２及び台座１２の天面に位置する軸柱１４より構成されるが、軸柱１４は台座１２の中心に位置するものではない。台座１２の周囲には外側環状壁１６および内側環状壁１８を有し、外側環状壁１６および内側環状壁１８の間には補強リブ２０を備え、軸柱１４は内側環状壁１８中に位置する。台座１２の底面にはくぼみ２２を有し、軸柱１４に深く入り込んでいる。内側環状壁１８の内側には複数の係合片２４を有する。図３が示すように、前記台座１２の底面には軸柱１４より遠く離れた側に把持部２６を形成し、作業者が握れるように外側環状壁１６へと延伸する。
【０００８】
回転リング２８はカップ状の部材であり、リング部３０と、リング部３０の底側に位置する塀部３２とを有する。リング部３０の表面には複数の突リブ３４を備え、塀部３２の底面にはリング係合部３６を有する。回転リング２８は基部１０の軸柱１４に設けられており、リング係合部３６と係合片２４、回転リング２８と基部１０とを結合させる。上述した内容と米国特許第６，２２７，４８０号明細書が開示するところは同一であり、さらに深く知りたい場合には、前記米国特許より構造についての詳細を取得することができる。
【０００９】
塀部３２の底側については、リング係合部３６の外側に摩擦部３８を設け、その外側面に複数の突部（図示せず）を設置する。
基部１０の把持部２６の外側は外側環状壁１６へと延伸し、くぼみ２２へと延伸する板片４０をその内側に有する。図４に示すように、板片４０の内端にはより安定した把持状態が生じるように、使用者の指先がぶつかって止まるようにするための係合部４２が形成されている。
【００１０】
図５は、基部１０の外側リング部が二つの弾性片４４を有し、その自由端が基部１０の中心方向から離れた方向へと延伸し、二つの弾性片４４の自由端がそれぞれ当接部４６を備え、外側環状壁１６の外側に位置するところを示す。前記ストッパー４８はゴム、プラスチックまたはその他一定の摩擦力を備える材料によって製造される。その中央には貫通孔５０及び外側には押圧部５２を、さらに内側には摩擦片５４を有する。前記二つの弾性片４４はそれぞれ二つのストッパー４８の貫通孔５０へ挿入し、二つの当接部４６は二つのストッパー４８を露出させる。そして二つのストッパー４８が組立てられた後、二つの弾性片４４は内側へ湾曲し、二つの当接部４６を外側環状壁１６の内側へと入り込ませる。基部１０の内側環状壁１８は二つの開口５６を有し、図６に示すように、二つのストッパー４８の摩擦片５４は二つの開口５６を貫通し、回転リング２８の摩擦部３８と向かい合う。回転リング２８の塀部３２は二つのストッパー４８の摩擦片５４上方に位置する。
【００１１】
図６は二つの弾性片４４の弾力により、二つの当接部４６が力を受けていない状態下で外側環状壁１６の内側に当接し、二つのストッパー４８の摩擦片５４と回転リング２８の摩擦部３８との間隔が予め決められた距離とされているところを示す。図７が示すように、使用者がストッパー４８の押圧部５２に圧力を加えた後、弾性片４４は内側に湾曲し、ストッパー４８の摩擦片５４を回転リング２８の摩擦部３８へと押圧し、回転リング２８が制動作用を生じるようにする。使用者がストッパー４８の押圧部５２に圧力を加えない場合、弾性片４４の弾力は図６が示すような状態へ自動的に回復し、回転リング２８から摩擦片５４を離れさせる。このとき、回転リング２８は自由に回転することができる。
【００１２】
本実施形態が提供するフィルムディスペンサーでは、二つのストッパー４８がちょうど使用者の親指にあたるところに位置する。よって、本実施形態のフィルムディスペンサーを利用し包装作業を行う場合、使用者は親指で前記ストッパー４８を押圧し、その押圧力の程度によって制動の強さを制御することが可能であり、包装作業をスムーズに行うため、フィルムに予め決められた張力を生じることができる。
【図面の簡単な説明】
【００１３】
【図１】本考案の一実施形態によるフィルムディスペンサーを示す斜視図である。
【図２】本考案の一実施形態によるフィルムディスペンサーを示す斜視図である。
【図３】本考案の一実施形態によるフィルムディスペンサーの把持方式を示す側面図である。
【図４】図３の断面図である。
【図５】本考案の一実施形態によるフィルムディスペンサーの基部において、二つの弾性片の初期状態を示す平面図である。
【図６】本考案の一実施形態によるフィルムディスペンサーにおいて、ストッパーが押圧されていない状態を示す断面図である。
【図７】本考案の一実施形態によるフィルムディスペンサーにおいて、ストッパーが押圧されている状態を示す断面図である。
【符号の説明】
【００１４】
１０：基部、１２：台座、１４：軸柱、１６：外側環状壁、１８：内側環状壁、２０：補強リブ、２２：くぼみ、２４：係合片、２６：把持部、２８：回転リング（リール）、３０：リング部、３２：塀部、３４：突リブ、３６：リング係合部、３８：摩擦部、４０：板片、４２：係合部、４４：弾性片、４６：当接部、４８：ストッパー、５０：貫通孔、５２：押圧部、５４：摩擦片、５６：開口
【図１】
0003137427.tif 000003
【図２】
0003137427.tif 000004
【図３】
0003137427.tif 000005
【図４】
0003137427.tif 000006
【図５】
0003137427.tif 000007
【図６】
0003137427.tif 000008
【図７】
0003137427.tif 000009